(57)【要約】      （修正有）【課題】紙葉類の検査時に、作業員が排除枚数が０枚であっても排除券のバッチカード番号と排除券の枚数０枚を入力し効率が悪かった、この排除券処理時間を短縮し、紙葉類を効率よく処理し得る紙葉類処理方法を提供する。【解決手段】検査機を用いて紙葉類を検査する検査工程と、検査機において検査不能として排除した排除件数情報を、データベースサーバに登録する工程と、排除件数情報が０件である場合は、データベースサーバにより自動照合させて排除券の枚数情報を０枚と表示させ、排除券の枚数情報の入力、及び照合操作を省略する。【選択図】図２
2007241742.tif 000002
【特許請求の範囲】
【請求項１】
検査機を用いて紙葉類を検査する検査工程と、
前記検査機において検査不能として排除した排除件数情報を、データベースサーバに登録する工程と、
前記検査機から排除された前記排除券の枚数情報を、前記排除件数情報が０件である場合は、前記データベースサーバにより自動照合させ、前記排除件数情報が０件以外である場合は、前記データベースサーバに登録する工程と、
前記排除券を排除券処理機を用いて再検査する排除券処理工程と、
前記排除券処理機により処理した枚数情報を登録し、前記排除券の枚数情報及び前記排除件数情報と照合する工程を具備することを特徴とする紙葉類の処理方法。
【請求項２】
前記検査工程において、前記紙葉類は、作業単位毎に集積され、各作業単位間に仕切りカードを設けて、前記検査機に１または複数バッチ重ねて投入される請求項１に記載の方法。
【請求項３】
前記検査工程の前に、前記検査のアカウント番号と、前記仕切りカードの番号とを前記データベースサーバに登録する前処理工程をさらに具備する請求項２に記載の方法。
【発明の詳細な説明】
【技術分野】
【０００１】
本発明は、例えば紙幣等の紙葉類を判別処理するための紙葉類処理方法に関する。
【背景技術】
【０００２】
紙葉類処理システムは、紙葉類の検査を行う検査機、この検査機により排除券と判断された紙葉類を処理する排除券処理機、この排除券処理機と検査機とが接続される集中制御卓、及びこの検査機及び排除券処理機からの情報を蓄積するデータベースサーバ（ＤＢＳ）から構成されている。
【０００３】
このような紙葉類処理システムにおいて、紙葉類は次のような方法で処理される。
【０００４】
１）まず、前処理（ＰＳ）において、係員がバッチカード番号とアカウント番号を入力する事により、バッチカードとアカウント番号の関連付けを図り、ＤＢＳへその情報を登録する。
【０００５】
２）次に、現金処理機において銀行券、チケット及びバッチカードを一緒に流し、処理された結果をデータベースサーバ（ＤＢＳ）へ登録する。
【０００６】
３）続いて、現金処理機においてトレイ完了を実施する。
【０００７】
４）その後、現金処理機で排除された排除券をバッチカードと共に排除券処理機（ＲＳ）に通し、偽券が含まれていないか念入りに調べてから、バッチカード番号と排除券の枚数を入力する。
【０００８】
このような処理は、時間がかかるため、処理時間を短縮するために、種々の提案が成されている（例えば下記特許文献１参照）。
【０００９】
また、従来は、排除券の枚数を入力する際、枚数が０枚であっても、排除券のバッチカード番号と排除券の枚数０枚を入力していた。これに対し、排除券処理機（ＲＳ）において排除券がないものは、排除券０枚を入力処理せずにまとめておいて、自動照合することも可能であるが、オペレーションミスにより入力処理が行われないと、未照合のバッチまで自動照合されてしまう可能性があった。
【００１０】
このように、ＲＳにおいて排除券の枚数をカウントする際に偽券があるかどうか常に慎重に調べる必要があり、排除券処理時間の短縮は困難であった。
【特許文献１】特開２００１−２４３５１９号公報
【発明の開示】
【発明が解決しようとする課題】
【００１１】
本発明は、上記事情に鑑みて成されたもので、排除券処理時間を短縮し、紙葉類を効率よく処理し得る紙葉類処理方法を提供することを目的とする。
【課題を解決するための手段】
【００１２】
本発明の紙葉類の処理方法は、検査機を用いて紙葉類を検査する検査工程と、
前記検査機において検査不能として排除した排除件数情報を、データベースサーバに登録する工程と、
前記検査機から排除された前記排除券の枚数情報を、前記排除件数情報が０件である場合は、前記データベースサーバにより自動照合させ、前記排除件数情報が０件以外である場合は、前記データベースサーバに登録する工程と、
前記排除券を排除券処理機を用いて再検査する排除券処理工程と、
前記排除券処理機により処理した枚数情報を登録し、前記排除券の枚数情報及び前記排除件数情報と照合する工程を具備することを特徴とする。
【発明の効果】
【００１３】
本発明によれば、排除券処理時間を短縮し、紙葉類を効率よく処理し得る。
【発明を実施するための最良の形態】
【００１４】
図１に、本発明に使用され得る紙葉類処理システムの一例として、現金処理機のシステム構成をブロック化した図を示す。
【００１５】
この検査機本体４とテラーＰＣ６はＵＳＢで接続され、現金処理機１を構成している。テラーＰＣ６とデータベースサーバ（ＤＢＳ）８、前処理（ＰＳ）７、及び排除券処理（ＲＳ）５はＬＡＮで接続されている。
【００１６】
検査機本体４は、処理されるべき現金等を１枚ずつ検査し、再流通可能な良券と、検査不能の排除券と、再流通不可能な不良券とに分類し、各々、区分集積部、排除券集積部に集積するか、あるいは、裁断することができる。
【００１７】
テラーＰＣ６は、例えばテラーＰＣ６の全体を制御する主制御部、操作の指示を行う操作部、及び種々の処理内容を表示する表示部等を備えている。
【００１８】
前処理７では、例えば処理されるべき現金等を区切るためのバッチカードの番号と、アカウント番号とを関連付ける処理が行われる。
【００１９】
排除券処理機（ＲＳ）５は、上記検査機本体４により排除券と判断され、例えば排除券カセット等に集積された排除券を再検査する。この排除券処理機５は、例えば排除券を処理する本体と、この本体を制御するパーソナルコンピュータと、処理内容を表示するー表示部等を備えている。検査機本体は、検査機本体の各検知部と同様の検知部例えば搬送状態検知部、良否検知部、券種検知部、厚さ検知部と、総合判定部等とを備えている。
【００２０】
上記データベースサーバ（ＤＢＳ）８は、例えば各種データ及びその処理プログラムの記憶等に用いられる。
【００２１】
次に、上記紙葉類処理システムを用いた本発明の紙葉類処理方法の一例について説明する。
【００２２】
図２に、図１の現金処理システムのフローを示す。
【００２３】
また、図３に、紙葉類処理における係員の操作内容を説明するための図を示す。
【００２４】
まず、前処理（ＰＳ）７において、係員が、バッチカード番号とアカウント番号を入力する事により、バッチカード番号とアカウント番号の関連付けを図り、データベースサーバ（ＤＢＳ）８へその情報を登録する（ＳＴ１）。
【００２５】
現金処理機１に、銀行券、チケット及びバッチカードを一緒に流して検査を行い、処理された結果はデータベースサーバ（ＤＢＳ）８へ登録される（ＳＴ２）。
【００２６】
その際、現金処理機１において真偽検知で排除と判別された排除件数情報がデータベースサーバ（ＤＢＳ）８へ登録され得る。
【００２７】
次に、現金処理機１におけるトレイ完了を実施する。トレイとはいくつかのバッチの集まりであり、後続の排除券処理ではトレイ単位で処理を行う（ＳＴ３）。
【００２８】
排除券処理機では、現金処理機１で排除された排除券の枚数情報について、予め、以下のように入力を行った後、排除券を再検査することができる。
【００２９】
まず、データベースサーバ（ＤＢＳ）に、排除と判別された排除件数情報を、その件数が０件であるか判断させ（ＳＴ４）、その結果により、排除券処理機の表示部に以下のように表示させることができる。
【００３０】
図３において、例えばアカウント番号１０１，１０２，１０３に示されるように、真偽検知で排除と判別された件数が０件でない場合、表示部には排除件数情報この場合１件、２件、２件のみが表示され、排除券の枚数情報、バッチカード番号、照合、ＲＳ処理枚数は、空欄で表示される。排除券がある場合は、偽券がある可能性が高いので、係員は偽券が含まれていないか、念入りに調べてから、図３に示すように、バッチカード番号欄に、００００００１０，００００００１１，００００００１２と、排除券枚数欄に、１枚，２枚，３枚とを入力する（ＳＴ５）。
【００３１】
このような入力処理の後、排除券を排除券処理機に通し、得られたＲＳ排除券枚数情報を入力することが出来る（ＳＴ６）。
【００３２】
続いて、係員は、排除件数情報と排除券枚数情報とＲＳ排除券枚数情報の照合操作を行い（ＳＴ７）、照合欄に、正しい排除券枚数情報１枚，２枚，３枚を各々表示させる。ここで、アカウント番号１０３は、例えば重ね取り等により、排除件数情報は２件と検知され、実際には排除券数が３枚ある例を示しており、照合操作により正しい枚数が登録される。
【００３３】
図３において、例えばアカウント番号１０３，１０４のように排除件数情報０件である場合、自動照合されて（ＳＴ８）、表示部には、排除件数情報０件及び照合０枚が表示され排除券枚数、バッチカード番号、及びＲＳ処理枚数は、空欄で表示され得る。このとき、係員は、簡単に排除券の有無をチェックし（ＳＴ９）、バッチカード番号００００００１３，００００００１４を入力するだけで、排除券枚数を登録しなくても良い。このため、照合処理が簡略化される。
【００３４】
また、アカウント番号１０５は、例えば係員の入力ミス等により、排除件数情報は１件と検知されているにも関わらず、排除券枚数欄が空欄になっている例を示しており、照合操作により最終的に正しい枚数１枚が登録される。
【００３５】
このように、本発明に係る方法では、データベースサーバに蓄積された、現金処理機からの排除件数情報を利用することで、排除件数が０件の際の照合処理、及び排除券枚数登録処理等を省略することが出来るので、排除券処理に要する時間の短縮が可能となる。また、この方法では、排除件数情報が０件であるアカウントだけ確実に自動照合することができる。さらに、この方法を用いると、真偽検知で排除した件数が０件以外の時は、偽券がないか入念にチェックし、０件である場合には簡単にチェックすることにより、効率よく排除券処理を行うことが出来る。さらにまた、この方法により、例えば係員が入力し忘れても、容易に訂正できる。
【図面の簡単な説明】
【００３６】
【図１】本発明に使用され得る現金処理システムの一例をブロック化した図
【図２】図１の現金処理システムのフロー図
【図３】紙葉類処理における係員の操作内容を説明するための図
【符号の説明】
【００３７】
１…、４…検査機本体、５…排除券処理、６…テラーＰＣ、７…前処理、８…データベースサーバ
【図１】
2007241742.tif 000003
【図２】
2007241742.tif 000004
【図３】
2007241742.tif 000005